(57)【要約】【課題】運用モードの選択に際して、キーボード上で特別なキー操作を行うことなく、商品登録操作の中で自動的に運用モードが選択されるものである。【解決手段】貨幣の入金および出金が可能な貨幣入出金装置と、この貨幣入出金装置を通信可能に接続するとともに、商品の商取引で売買された商品の販売データを処理して当該商取引の売上金額を算出し出力する商品販売データ処理装置とを備え、前記商品販売データ処理装置は、運用モードとして預り金の金額がキー入力される通常モードと預り金を貨幣入出金装置で計数させて計数結果が入力される入金確定モードとを有し、前記通常モードは商品登録操作処理における預り金の金額のキー入力操作により選択され、前記入金確定モードは商品登録操作処理における預り金の前記貨幣入出金装置に計数させその金額を受信し入力されたことにより選択される。【選択図】図４
2013191125.tif 000002
【特許請求の範囲】
【請求項１】
貨幣の入金および出金が可能な貨幣入出金装置と、
この貨幣入出金装置を通信可能に接続するとともに、商品の商取引で売買された商品の販売データを処理して当該商取引の売上金額を算出し出力する商品販売データ処理装置とを備え、
前記商品販売データ処理装置は、運用モードとして預り金の金額がキー入力される通常モードと預り金を貨幣入出金装置で計数させて計数結果が入力される入金確定モードとを有し、
前記通常モードは商品登録操作処理における預り金の金額のキー入力操作により選択され、前記入金確定モードは商品登録操作処理における預り金の前記貨幣入出金装置に計数させその金額を受信し入力されたことにより選択されることを特徴とする商品販売データ処理システム。
【請求項２】
前記商品販売データ処理装置は、通常預り金を貨幣入出金装置で計数させて計数結果が入力される入金確定モードを選択しており、必要に応じて預り金の金額がキー入力される通常モードを選択することを特徴とする請求項１記載の商品販売データ処理システム。
【請求項３】
前記商品販売データ処理装置は、運用モードとして預り金の金額がキー入力される通常モードを選択した場合、商取引の終了後、運用モードを預り金を貨幣入出金装置で計数させて計数結果が入力される入金確定モードに戻すことを特徴とする請求項１ないし２記載の商品販売データ処理システム。
【発明の詳細な説明】
【技術分野】
【０００１】
本発明の実施形態は商品販売データ処理システムに関する。
【背景技術】
【０００２】
従来、自動釣銭機が接続されたＰＯＳ装置において、運用モードとして、預り金の金額がキー入力される通常モードと、預り金を自動釣銭機で計数させて計数結果が入力される入金確定モードとがある。そこで、ＰＯＳ端末と自動釣銭機における運用モードの選択は、キーボード上で操作を行い、予め設定する必要があった。例えば、通常モードの選択はキーボード上で「１１１」の入力と入金確認キーの押圧操作、また入金確定モードの選択はキーボード上で「９９９」の入力と入金確認キーの押圧操作がそれぞれ必要であった。このように従来のものでは、運用モードの選択に際して、商品登録操作以外の操作をキーボード上で行わなければならず、商品登録操作の業務に集中することが出来なかった。
【先行技術文献】
【特許文献】
【０００３】
【特許文献１】特開平10-302119号公報
【発明の概要】
【発明が解決しようとする課題】
【０００４】
そこで、本発明が解決しようとする課題は、運用モードの選択に際して、キーボード上で特別なキー操作を行うことなく、商品登録操作の中で自動的に運用モードが選択されるものである。
【課題を解決するための手段】
【０００５】
本発明の実施形態における商品販売データ処理システムは、貨幣の入金および出金が可能な貨幣入出金装置と、この貨幣入出金装置を通信可能に接続するとともに、商品の商取引で売買された商品の販売データを処理して当該商取引の売上金額を算出し出力する商品販売データ処理装置とを備え、前記商品販売データ処理装置は、運用モードとして預り金の金額がキー入力される通常モードと預り金を貨幣入出金装置で計数させて計数結果が入力される入金確定モードとを有し、前記通常モードは商品登録操作処理における預り金の金額のキー入力操作により選択され、前記入金確定モードは商品登録操作処理における預り金の前記貨幣入出金装置に計数させその金額を受信し入力されたことにより選択される。
【図面の簡単な説明】
【０００６】
【図１】実施形態の商品販売データ処理システムの要部構成を示す模式図。
【図２】同システムの自動釣銭機の要部構成を示す機能ブロック図。
【図３】同システムのＰＯＳ端末の要部構成を示すブロック図。
【図４】同システムにおける売上時の動作を示すフローチャート。
【発明を実施するための形態】
【０００７】
以下、実施形態の商品販売データ処理システムを図面を参照して説明する。
【０００８】
図１は、実施形態の商品販売データ処理システムとしてのＰＯＳシステム１を示す模式図である。
【０００９】
図１に示すように、ＰＯＳシステム１は、商品販売データ処理装置としてのＰＯＳ端末１１に、貨幣入出金装置としての自動釣銭機１２が接続されている。
【００１０】
図２は、前記自動釣銭機１２の機能ブロック図である。この自動釣銭機１２は、貨幣として紙幣および硬貨の両方を扱うものである。
【００１１】
図２に示すように、４種類の紙幣と６種類の硬貨との貨幣を金種別に選別して収納する貨幣収納部２１と、顧客の預り金や釣銭準備金として投入する紙幣および硬貨等の貨幣を投入する貨幣投入部２２と、釣銭等が出金される貨幣出金部２３が形成されている。また、前記貨幣投入部２２に投入された貨幣を金種別に選別する選別手段としての選別処理部２４と、この選別処理部２４で選別された貨幣を金種別にカウントする入金枚数計数手段としての入金枚数カウンタ２５と、この入金枚数カウンタ２５によりカウントされた金種別の収納枚数を記憶する記憶部２６と、前記ＰＯＳ端末１１と通信可能に接続されるＰＯＳ端末インタフェース２７と、このＰＯＳ端末インタフェース２７を介して前記ＰＯＳ端末１１からの出金指令により前記貨幣収納部２１から貨幣の出金を行う出金手段としての出金処理部２８と、この出金処理部２８により出金された貨幣を金種別にカウントする出金枚数計数手段としての出金枚数カウンタ２９と、これらの各部を制御する制御部３０と、を備えている。
【００１２】
図３は、前記ＰＯＳ端末１１のハードウエアの要部構成を示すブロック図である。
【００１３】
図３に示すように、前記ＰＯＳ端末１１は、制御部本体として各部を制御するＣＰＵ（Ｃｅｎｔｒａｌ  Ｐｒｏｃｅｓｓｉｎｇ  Ｕｎｉｔ）３１、このＣＰＵ３１が実行する制御プログラムなどの固定的データを予め格納するＲＯＭ（Ｒｅａｄ  Ｏｎｌｙ  Ｍｅｍｏｒｙ）３２、商品販売データの処理に必要な可変的データを格納するための各種メモリエリアが形成されるＲＡＭ（Ｒａｎｄｏｍ  Ａｃｃｅｓｓ  Ｍｅｍｏｒｙ）３３、現在の日付および時刻を計時する計時部３４、通信インタフェース３５、ＨＤＤ（Ｈａｒｄ  Ｄｉｓｋ  Ｄｒｉｖｅ）コントローラ３６、前記自動釣銭機１２と通信可能に接続する接続手段としての自動釣銭機インタフェース３７、キーボードコントローラ３８、スキャナコントローラ３９、タッチパネルコントローラ４０、客用表示コントローラ４１、プリンタコントローラ４２をアドレスバス、データバス等のバスライン４３で接続している。
【００１４】
そして、ＨＤＤコントローラ３６にＨＤＤ４４を接続し、自動釣銭機インタフェース３７に前記自動釣銭機１２を接続し、キーボードコントローラ３８にキーボード４５を接続し、スキャナコントローラ３９にバーコードスキャナ４６を接続し、タッチパネルコントローラ４０に店用としてタッチパネル４７を接続し、客用表示コントローラ４１に客用表示器４８を接続し、プリンタコントローラ４２にプリンタ４９を接続している。
【００１５】
前記ＨＤＤ４４には、電子ジャーナルデータファイル等の記憶領域が形成されている。そして、この電子ジャーナルデータファイルは、商取引ごとに生成される電子ジャーナルデータ、すなわち、その取引に対して発行されるレシートの印字イメージに対応したデータがテキスト形式で記述されるデータファイルである。
【００１６】
前記キーボード４５には、置数キー、乗算キー、ＰＬＵ（Ｐｒｉｃｅ  Ｌｏｏｋ  Ｕｐ）キー、預かりキー、小計キー、預／現計キー、クリアキー等の各種キーが配設されている。預かりキーは、顧客から受け取った預り金の金額を登録する機能を有する。小計キーは、１取引の商品の合計金額を指示する機能を有する。預／現計キーは、１取引として現金で支払うことを宣言する締めキーとして機能する。
【００１７】
前記バーコードスキャナ４６は、各商品に付けられたバーコードを光学的に読み取るもので、商品登録手段として機能する。
【００１８】
前記プリンタ４９は、レシート用紙に１顧客の買上商品の明細データを印字してレシートを発行することが可能なレシートプリンタである。
【００１９】
次に、前記ＰＯＳシステム１における売上時の動作を説明する。図４は、このＰＯＳシステム１における売上時の動作を示すフローチャートである。
【００２０】
図４に示すように、まず、ステップＳ１で顧客が持ち込んだ売上商品についてＰＯＳ端末１１へ全ての商品販売データの登録処理を行う。この登録処理が完了すると、ステップＳ２でオペレータはキーボード４５の小計キーを押圧操作する。この小計キーが押圧操作されると、ＣＰＵ３１は、当該取引に係る全ての商品販売データの入力が完了したと判断し、売上商品の合計金額を算出する。そして、ステップＳ３でこの算出した合計金額を顧客に請求する請求金額として決定し、タッチパネル４７および客用表示器４８にこの請求金額を表示する。
【００２１】
次に、オペレータは、顧客から請求金額に対する支払い代金を受け取り、ステップＳ４でその金額を預り金として、ＰＯＳ端末１１へキーボード４５の置数キーにより入力した場合は（ステップＳ４のＹ）、ステップＳ５でキーボード４５の預かりキーを押圧操作して登録する。このように預り金の金額がキー入力され登録されると、ステップＳ６でＰＯＳ端末１１の運用モードは通常モードに設定されるとともに、ステップＳ７で自動釣銭機１２に対して通常モード動作のコマンド信号を送信し、自動釣銭機１２の運用モードを通常モードへ移行させる。
【００２２】
次に、ステップＳ８でオペレータがキーボード４５の預／現計キーを押圧操作すると、ＣＰＵ３１は、当該取引における「締め」が宣言されたと判断し、釣銭の演算処理を実行する。ステップＳ９でその釣銭金額をタッチパネル４７および客用表示器４８に表示するとともに、ステップＳ１０で自動釣銭機１２に対して釣銭出金のコマンド信号を送信し、ステップＳ１１で釣銭を出金させ、ステップＳ１２でレシートを印字発行する。そして、ステップＳ１３でオペレータはその釣銭とレシートを顧客に渡し、当該取引を終了する。
【００２３】
取引終了後は、ステップＳ１４で自動釣銭機１２に対して入金確定モード動作のコマンド信号を送信し、自動釣銭機１２の運用モードを通常モードから入金確定モードに移行させ、自動釣銭機１２の運用モードを常時入金確定モードにする。
【００２４】
なお、ステップＳ４で顧客から受け取った支払い代金を預り金として、ＰＯＳ端末１１へキーボード４５の置数キーにより入力しなかった場合は（ステップＳ４のＮ）、この支払い代金を自動釣銭機１２に投入する。そして、ステップＳ１５で支払い代金が預り金として自動釣銭機１２に投入された場合は（ステップＳ１５のＹ）、ステップＳ１６で自動釣銭機１２において預り金の計数が行われ、ステップＳ１７でその計数結果（金額）をＰＯＳ端末１１へ送信するとともにタッチパネル４７および客用表示器４８にその金額を表示し、その金額に問題がなければキーボード４５の預かりキーを押圧操作して登録する。このように預り金の金額を自動釣銭機１２で計数させ、その計数結果をＰＯＳ端末１１へ送信して入力し登録されると、ステップＳ１８でＰＯＳ端末１１の運用モードは入金確定モードに設定される。
【００２５】
次に、ステップＳ１９でオペレータがキーボード４５の預／現計キーを押圧操作すると、ＣＰＵ３１は、当該取引における「締め」が宣言されたと判断し、釣銭の演算処理を実行する。ステップＳ２０でその釣銭金額をタッチパネル４７および客用表示器４８に表示するとともに、ステップＳ２１で自動釣銭機１２に対して釣銭出金のコマンド信号を送信し、ステップＳ２２で釣銭を出金させ、ステップＳ２３でレシートを印字発行する。そして、ステップＳ２４でオペレータはその釣銭とレシートを顧客に渡し、当該取引を終了する。
【００２６】
なお、顧客から受け取った支払い代金が預り金として、ＰＯＳ端末１１にキー入力されておらず（ステップＳ４のＮ）、かつ、自動釣銭機１２にも投入されていない場合は（ステップＳ１５のＮ）、ステップＳ２５で入金確定エラーとして処理される。
【００２７】
以上、説明したように、本実施形態の商品販売データ処理システムによれば、運用モードの選択に際して、キーボード上で特別なキー操作を行うことなく、商品登録操作の中で自動的に運用モードが選択されるものである。
【００２８】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２９】
１              ＰＯＳシステム（商品販売データ処理システム）
１１            ＰＯＳ端末（商品販売データ処理装置）
１２            自動釣銭機（貨幣入出金装置）
【図１】
2013191125.tif 000003
【図２】
2013191125.tif 000004
【図３】
2013191125.tif 000005
【図４】
2013191125.tif 000006